(57)【要約】【課題】解凍時に情報表示部の濡れを抑制することができる凍結用複室容器を提供することを目的とする。【解決手段】凍結用複室容器１は、隔壁１１，１２によって気体収納室２０、第１液体を収納する第１液体収納室２１、第２液体を収納する第２液体収納室２２に仕切られている。これらの液体と気体とを混合させたいときに、隔壁１１，１２を開通させることで気体収納室２０、第１液体収納室２１及び第２液体収納室２２を連通させることができる。凍結用複室容器１の外面のうち気体収納室２０の領域には、情報表示部３５が貼り付けられている。【選択図】図１
2017217195.tif 000002
【特許請求の範囲】
【請求項１】
複数の収納室と、各収納室を仕切ると共に仕切られた収納室間を連通可能に設けられた隔壁と、を備える凍結用複室容器において、
前記複数の収納室は、液体が収納される液体収納室と、気体が収納される気体収納室とを有し、
前記凍結用複室容器の外面のうち前記気体収納室の領域には、少なくとも前記液体収納室に収納される液体の情報を表示する情報表示部が設けられていることを特徴とする凍結用複室容器。
【請求項２】
前記液体収納室は、複数であり、
前記気体収納室は、該凍結用複室容器の端部に配置されていることを特徴とする請求項１に記載の凍結用複室容器。
【請求項３】
前記気体収納室の容積は、前記複数の液体収納室のうちの最も容積の大きい液体収納室の容積と同等以上、又は前記複数の液体収納室の容積の合計と同等以上であることを特徴とする請求項２に記載の凍結用複室容器。
【請求項４】
前記液体収納室に収納される液体を外部に排出する排出部を更に備え、
前記排出部は、前記気体収納室に設けられていることを特徴とする請求項１〜３のいずれか一項に記載の凍結用複室容器。
【請求項５】
前記気体収納室から最も離れる前記液体収納室側には、重り部が着脱可能に設けられていることを特徴とする請求項１〜４のいずれか一項に記載の凍結用複室容器。
【発明の詳細な説明】
【技術分野】
【０００１】
本開示の実施形態は、例えば細胞含有液体及び薬剤等を凍結するための凍結用複室容器に関する。
【背景技術】
【０００２】
複室容器としては、混合すると経時変化を起こすような不安定な各種薬剤を各収納室に個別に収納しておき、使用時に外力で収納室同士間の隔壁を開通させ収納室同士を連通させることで、各種の薬剤を混合するものが知られている（特許文献１及び２参照）。
【０００３】
最近では、生殖医療、再生医療等の分野において上述の複室容器を用い、細胞含有液体と各薬剤とを複室容器の各収納室に個別に収納した状態で凍結保存し、使用したい時（例えば移植時）に温浴等で解凍し、上述の方法で細胞含有液体と各薬剤とを混合させて使用するニーズが増えている。
【先行技術文献】
【特許文献】
【０００４】
【特許文献１】特許第４４６３２０５号公報
【特許文献２】特許第５１１８８３８号公報
【発明の概要】
【発明が解決しようとする課題】
【０００５】
しかし、上述した複室容器を凍結用複室容器として使用されるとき、以下の問題が生じている。すなわち、各収納室に収納される内容物の情報を示すラベルが複室容器の外部に貼り付けられているので、解凍時の結露や温浴液に濡れてしまう。その結果、ラベルに表示される情報を判読し難くなり、場合によってラベルが破損したり剥がれたりすることがある。
【０００６】
本開示の実施形態は、上記の点に鑑みてなされたものであり、解凍時に情報表示部の濡れを抑制することができる凍結用複室容器を提供することを目的とする。
【課題を解決するための手段】
【０００７】
本開示の１実施形態に係る凍結用複室容器は、複数の収納室と、各収納室を仕切ると共に仕切られた収納室間を連通可能に設けられた隔壁と、を備える凍結用複室容器において、前記複数の収納室は、液体が収納される液体収納室と、気体が収納される気体収納室とを有し、前記凍結用複室容器の外面のうち前記気体収納室の領域には、少なくとも前記液体収納室に収納される液体の情報を表示する情報表示部が設けられている。
【０００８】
本開示の１実施形態に係る凍結用複室容器において、前記液体収納室は、複数であり、前記気体収納室は、該凍結用複室容器の端部に配置されていることが好適である。
【０００９】
本開示の１実施形態に係る凍結用複室容器において、前記気体収納室の容積は、前記複数の液体収納室のうちの最も容積の大きい液体収納室の容積と同等以上、又は前記複数の液体収納室の容積の合計と同等以上であることが好適である。
【００１０】
また、本開示の１実施形態に係る凍結用複室容器において、前記液体収納室に収納される液体を外部に排出する排出部を更に備え、前記排出部は、前記気体収納室に設けられていることが好適である。
【００１１】
また、本開示の１実施形態に係る凍結用複室容器において、前記気体収納室から最も離れる前記液体収納室側には、重り部が着脱可能に設けられていることが好適である。
【発明の効果】
【００１２】
本開示によれば、解凍時に結露の発生及び情報表示部が温浴液に浸ることを防止し、情報表示部の濡れを抑制することができる。
【図面の簡単な説明】
【００１３】
【図１】第１実施形態の凍結用複室容器を示す正面図である。
【図２】図１のＸ−Ｘ線に沿う断面図である。
【図３】第２実施形態の凍結用複室容器を示す正面図である。
【図４】第３実施形態の凍結用複室容器を示す正面図である。
【図５】図４のＹ−Ｙ線に沿う断面図である。
【図６】第４実施形態の凍結用複室容器を示す正面図である。
【図７】最大容積及び適正容積の計算を説明するための図である。
【発明を実施するための形態】
【００１４】
以下、図面を参照して本発明に係る凍結用複室容器の実施形態について説明する。図面の説明において同一の要素には同一符号を付し、重複する説明は省略する。
【００１５】
＜第１実施形態＞
図１は第１実施形態の凍結用複室容器を示す正面図であり、図２は図１のＸ−Ｘ線に沿う断面図である。本実施形態の凍結用複室容器１は、いわゆる軟質バッグであり、同じ大きさを有する矩形状の透明な樹脂シートを２枚重ねて、周縁部同士を四周にわたりヒートシール（熱溶着ともいう）することによって形成されている。このため、凍結用複室容器１の四周にわたって、シール部１０が形成されている。シール部１０は、図１に示す上下方向に延在すると共に、比較的長い一対の長辺シール部１０ａと、左右方向に延在すると共に、比較的短い一対の短辺シール部１０ｂとからなる。
【００１６】
上述の樹脂シートに用いられる樹脂材料としては、例えば収納される細胞含有液体、薬剤などの液体に対して低吸着性及び低溶出性を有する高密度ポリエチレン（ＨＤＰＥ）、ポリメチルメタクリレート（ＰＭＭＡ）、ポリカーボネート（ＰＣ）、ポリスチレン（ＰＳ）、ポリエチレンテレフタレート（ＰＥＴ）、ポリプロプレン（ＰＰ）、ポリエチレン（ＰＥ）、ポリエチレンナフタレート（ＰＥＮ）、シクロオレフィンポリマー（ＣＯＰ）、シクロオレフィンコポリマー（ＣＯＣ）、ポリアクリロニトリル（ＰＡＮ）などが挙げられる。
【００１７】
凍結用複室容器１には、該凍結用複室容器１を横切るように２つの隔壁１１，１２が所定の間隔で離れて設けられている。これらの隔壁１１，１２は、短辺シール部１０ｂにそれぞれ平行に配置され、対向する長辺シール部１０ａ同士を連結するようになっている。なお、隔壁１１及び隔壁１２は必ずしも短辺シール部１０ｂに平行に配置される必要がなく、また、隔壁１１と隔壁１２とは互いに平行でなくても良い。凍結用複室容器１の内部空間は、隔壁１１，１２によって３つの収納室に仕切られ、上側から下側に向かって順に、気体を収納する気体収納室２０、第１液体を収納する第１液体収納室２１、第２液体を収納する第２液体収納室２２になっている。
【００１８】
すなわち、気体収納室２０は凍結用複室容器１の上端部に配置され、第２液体収納室２２は凍結用複室容器１の下端部に配置されている。第１液体収納室２１は、気体収納室２０及び第２液体収納室２２の間に配置されている。ここで、端部とは、凍結用複室容器１の縁部の領域を意味する。気体収納室２０と第１液体収納室２１とは、隔壁１１によって仕切られて互いに隔離されており、第１液体収納室２１と第２液体収納室２２とは、隔壁１２によって仕切られて互いに隔離されている。
【００１９】
隔壁１１，１２は、シール部１０と同様にヒートシールで形成されているが、そのシール強度がシール部１０よりも弱い。すなわち、隔壁１１，１２は、シール部１０よりも開通し易くなるように、シール強度が弱く設定されている。従って、例えば気体収納室２０に収納された気体と第１液体収納室２１に収納された第１液体とを混合させたいときに、気体収納室２０側から隔壁１１に圧力を加えるように、手で気体収納室２０を押圧する。隔壁１１は、そのシール強度がシール部１０より弱いので、所定の圧力を超えると先に剥離する。これによって、隔壁１１が開通され、気体収納室２０と第１液体収納室２１とが連通し、気体収納室２０内の気体と第１液体収納室２１内の第１液体とを混合させることが可能になる。なお、この場合には、第１液体収納室２１側から隔壁１１に圧力を加えるように、第１液体収納室２１を押圧しても良い。また、第１液体収納室２１と第２液体収納室２２とを連通したいときに、上述の方法で隔壁１２を開通させれば良い。シール強度の強弱は、例えばシール時の温度、時間、圧力等を調整することによって行われる。
【００２０】
第１液体収納室２１に収納される第１液体、及び第２液体収納室２２に収納される第２液体としては、細胞含有液体のほか、食品関係の液体と医薬関係の液体なども考えられる。具体的には、食品関係の液体としては、飲料や調味料が挙げられる。一方、医薬関係の液体としては、生理食塩水等の電解質輸液、ブドウ糖等の糖質注射液、血液製剤、抗生物質、抗体等の蛋白質性医薬品、低分子蛋白質、ホルモン等のペプチド性医薬品、核酸医薬品、細胞医薬品、各種感染症を予防するワクチン、ステロイド剤、インスリン、抗がん剤、蛋白質分解酵素阻害剤、鎮痛剤、解熱鎮痛消炎剤、麻酔剤、脂肪乳剤、血圧降下剤、血管拡張剤、ヘパリン塩化ナトリウムや乳酸カリウム等の電解質補正用注射液、ビタミン剤、造影剤等が挙げられる。
【００２１】
なお、第１液体収納室２１及び第２液体収納室２２の容積は、必要に応じて同じにしても良く、異なっても良い。一方、気体収納室２０の容積は、第１液体収納室２１及び第２液体収納室２２のうち、最も容積の大きい液体収納室の容積と同等以上、若しくは第１液体収納室２１及び第２液体収納室２２の容積の合計と同等以上であることが好ましい。ここで、同等とは、等しい場合だけでなく、僅かに大きい場合又は僅かに小さい場合も含むものをいう。また、凍結用複室容器１内の気体、第１液体及び第２液体を混合し排出ポート３３を介して外部に排出する時に、凍結用複室容器１の最大容積の５％以上が気体であることが好ましく、最大容積の１０〜２０％が気体であることが更に好ましい。
【００２２】
気体収納室２０、第１液体収納室２１及び第２液体収納室２２の最大容積、適正容積は、既に周知された下記の式で求めることができる（図７参照）。
最大容積Ｖｍａｘ＝（０．３３×Ｓ×ａ）−（０．１１×ａ３）
適正容積Ｖ＝ａ／２×ａ／２×（ｂ−ａ／２）≒Ｖｍａｘ×０．７１
または、
適正容積Ｖ＝Ｖｍａｘ×０．４２
ここで、ａは短辺の長さ、ｂは長辺の長さであるが、両者の長さが同じであっても良い。Ｓは各収納室の表面積（片面ａ×ｂ）である。
【００２３】
また、図１に示すように、気体収納室２０には内部に気体を充填するための充填ポート３０が配置されている。充填ポート３０は、樹脂材料によって筒状に形成され、長辺シール部１０ａ側に取り付けられている。充填ポート３０の一端部は、長辺シール部１０ａを挿通し該長辺シール部１０ａに挟持されている。他端部は外方に突出しており、その先端が密閉されている。
【００２４】
これと同様に、第１液体収納室２１には第１液体を充填するための充填ポート３１、第２液体収納室２２には第２液体を充填するための充填ポート３２がそれぞれ取り付けられている。図１に示すように、充填ポート３０，３１，３２は、一対の長辺シール部１０ａのうちの同じ側に揃うように配置されている。このようにすれば、気体又は液体を充填するときに充填作業を行い易くなる。
【００２５】
また、凍結用複室容器１の最上端部、すなわち気体収納室２０側の短辺シール部１０ｂには、排出ポート（排出部）３３が更に取り付けられている。排出ポート３３は、後に気体収納室２０、第１液体収納室２１及び第２液体収納室２２を連通させ、気体、第１液体及び第２液体を混合させて外部に排出するための構造である。この排出ポート３３は、充填ポート３０，３１，３２と同様に樹脂材料によって筒状に形成され、その一端部が短辺シール部１０ｂを挿通し該短辺シール部１０ｂに挟持されており、他端部が外方に突出して密閉蓋３４によって塞がれている。
【００２６】
更に、凍結用複室容器１の外面のうち気体収納室２０の領域には、第１液体収納室２１に収納された第１液体、及び第２液体収納室２２に収納された第２液体に関する情報を表示する情報表示部３５が設けられている。第１液体及び第２液体に関する情報としては、例えばそれぞれの名称、成分、使用時の注意事項等が挙げられる。
【００２７】
また、情報表示部３５の形態としては、文字等が印字されたラベルを気体収納室２０に貼り付けることで形成されても良く、或いは気体収納室２０に情報を直接印字することで形成されても良い。更に、情報表示部３５は、文字に代えてＱＲコード（登録商標）を印刷したラベルやＩＣタグ等であっても良い。なお、本実施形態において、情報表示部３５は、情報が印字されたラベルを接着剤で凍結用複室容器１の外面のうち気体収納室２０の領域に貼り付けることによって形成されている。
【００２８】
情報表示部３５の面積（大きさ）については、凍結用複室容器１の外面のうち気体収納室２０の領域の面積を超えなければ特に限定されない。例えば、気体収納室２０の全表面積のうち、片面だけに貼り付けられても良く、両面にそれぞれ貼り付けられても良い。そして、情報表示部３５の面積を大きくすれば、表示される情報量も多くなる。
【００２９】
このように構成された凍結用複室容器１では、気体が収納された気体収納室２０を有し、且つ凍結用複室容器１の外面のうち気体収納室２０の領域に情報表示部３５が貼り付けられている。そして、解凍の際に、第１液体収納室２１及び第２液体収納室２２と比べて気体収納室２０の方は液体を含まないため温度変化しやすく外気温度と同じ温度になりやすいので、気体収納室２０の外壁で外気中の水蒸気が凝縮することが少なく、情報表示部３５が結露に濡れるリスクを軽減することができる。また、温浴時に気体収納室２０が浮力で浮き上がるため、情報表示部３５が温浴液に浸ることを防止し、情報表示部３５の濡れを抑制することができる。
【００３０】
加えて、情報表示部３５が第１液体収納室２１及び第２液体収納室２２に貼り付けられておらず、凍結用複室容器１が透明な樹脂材料により形成されるので、外部から第１液体収納室２１に収納された第１液体と、第２液体収納室２２に収納された第２液体とを視認することができ、例えば液体の変色や異物の混入の有無を外部から容易に確認することができる。更に、排出ポート３３及び密閉蓋３４が気体収納室２０に取り付けられているので、温浴液に浸ることに起因する汚染のリスクも軽減することができる。
【００３１】
また、凍結用複室容器１の凍結時および解凍時に、気体収納室２０に収納された気体が第１液体収納室２１に収納された第１液体、及び第２液体収納室２２に収納された第２液体との混合がないため、熱が伝わり易く、凍結及び解凍の効率を高めることができる。更に、気体、第１液体及び第２液体を混合させて外部に排出する際に、凍結用複室容器１内に気体が存在するので、凍結用複室容器１のうち気体と接する内面同士が貼り付くことを防止し、内面同士の貼り付きによる液残りの発生を軽減することができる。
【００３２】
なお、凍結用複室容器１内の気体、第１液体及び第２液体を混合させる際に、先に気体収納室２０と第１液体収納室２１とを連通させ、その後、第１液体収納室２１と第２液体収納室２２とを連通させても良く、又はその逆であっても良い。しかし、第１液体又は／及び第２液体が泡立ち易い液体の場合には、気体との接触による泡立ちの発生を抑制するため、第１液体収納室２１と第２液体収納室２２とを連通させた後に、気体収納室２０と第１液体収納室２１とを連通させることが好ましい。
【００３３】
＜第２実施形態＞
図３は第２実施形態の凍結用複室容器を示す正面図である。本実施形態の凍結用複室容器２と第１実施形態との相違点は、容器の形状である。その他の構成は第１実施形態と同様であるため、重複説明を省略する。
【００３４】
具体的には、凍結用複室容器２は、同じ大きさを有する正三角形状の透明な樹脂シートを２枚重ねて、周縁部同士を三辺にわたってヒートシールすることにより形成されている。このため、凍結用複室容器１の三辺にわたって、シール部１３が形成されている。そして、シール部１３によって囲まれた領域には、正三角形状の重心位置から各シール部１３の中点位置まで延びる３つの隔壁１４，１５，１６がそれぞれ形成されている。これによって、凍結用複室容器２の内部空間が３つの収納室（気体収納室２３、第１液体収納室２４、第２液体収納室２５）に均等に仕切られている。気体収納室２３は、該凍結用複室容器２の３つの端部のうち１つに配置されている。隔壁１４，１５，１６は、シール部１３と同様にヒートシールで形成されているが、そのシール強度がシール部１３よりも弱い。
【００３５】
気体収納室２３には充填ポート３０、第１液体収納室２４に充填ポート３１、第２液体収納室２５には充填ポート３２がそれぞれ取り付けられている。図３に示すように、気体収納室２３における正三角形状の頂点に当たる位置には、排出ポート３３が取り付けられており、排出ポート３３の先端は密閉蓋３４によって塞がれている。更に、凍結用複室容器２の外面のうち気体収納室２３の領域には、第１液体及び第２液体の情報を示す情報表示部３５が貼り付けられている。このように構成された凍結用複室容器２は、上述の第１実施形態と同様な作用効果を得られる。
【００３６】
＜第３実施形態＞
図４は第３実施形態の凍結用複室容器を示す正面図であり、図５は図４のＹ−Ｙ線に沿う断面図である。本実施形態の凍結用複室容器３と第１実施形態との相違点は、重り部３７が更に設けられることである。その他の構成は第１実施形態と同様であるため、重複説明を省略する。
【００３７】
具体的には、気体収納室２０から最も離れる第２液体収納室２２側、すなわち気体収納室２０から最も遠く配置された第２液体収納室２２側の短辺シール部１０ｂには、袋状部３６が連なっている。袋状部３６は、例えば一枚のシート部材を折り返しながら該シート部材の両端部を短辺シール部１０ｂに接合させることにより形成されている。この袋状部３６は、短辺シール部１０ｂの全長にわたって延びており、袋状部３６の内部には、円棒状の重り部３７が挿入されている。
【００３８】
図４に示すように、袋状部３６の左右両端部が開放されているので、重り部３７は該袋状部３６の内部に容易に挿入したり、取り外したりすることができる。すなわち、重り部３７は、凍結用複室容器３に対して着脱可能に取り付けられている。なお、重り部３７の重さは、例えば凍結用複室容器３を温浴液に入れる状態で、気体収納室２０が液面に浮かぶ程度（言い換えれば、気体収納室２０が水没しない程度）に設定されている。
【００３９】
本実施形態の凍結用複室容器３は、上述の第１実施形態と同様な作用効果を得られるほか、更に以下の作用効果を得られる。すなわち、気体収納室２０から最も離れる第２液体収納室２２側の短辺シール部１０ｂに袋状部３６が連なっており、該袋状部３６に重り部３７が挿入されるので、例えば温浴液で凍結用複室容器３を解凍する際に、凍結用複室容器３全体を直立させることできる。これによって、第１液体収納室２１及び第２液体収納室２２と温浴液との接触面積が大きくなるので、熱交換率を高められ、解凍効率の向上を図ることができる。
【００４０】
また、凍結用複室容器３全体を直立させることによって、凍結用複室容器３の外面のうち気体収納室２０の領域に貼り付けられた情報表示部３５が温浴液に濡れるリスク、排出ポート３３及び密閉蓋３４が温浴液に汚染されるリスクを一層低減することができる。更に、重り部３７が凍結用複室容器３に着脱可能に取り付けられているので、必要に応じて該重り部３７を簡単に取り付けたり、取り外したりすることができる。
【００４１】
＜第４実施形態＞
図６は第４実施形態の凍結用複室容器を示す正面図である。本実施形態の凍結用複室容器４と第３実施形態との相違点は、重り部３８の取付形態である。その他の構成は第３実施形態と同様であるため、重複説明を省略する。
【００４２】
具体的には、重り部３８はブロック状に形成され、紐等で留め具３９と一体的に連結されている。重り部３８は、複数用意されており、凍結用複室容器１の重量や形状等に応じて凍結用複室容器１に取り付ける数を自由に調整できるようになっている。そして、重り部３８を凍結用複室容器１に取り付ける際には、気体収納室２０から最も離れる第２液体収納室２２側、すなわち気体収納室２０から最も遠く配置された第２液体収納室２２側の短辺シール部１０ｂを留め具３９で挟むことにより行われる。本実施形態の凍結用複室容器４は、上述の第３実施形態と同様な作用効果を得られる。
【００４３】
以上、本発明の実施形態について詳述したが、本発明は、上記の実施形態に限定されるものではなく、特許請求の範囲に記載された本発明の精神を逸脱しない範囲で、種々の設計変更を行うことができるものである。例えば、隔壁については、上述したヒートシールにより形成されたもののほか、クロージャーや磁石などを用いて形成されても良い。また、液体の収納室の数は上述の内容に限らずに、必要に応じて適宜に増減することができる。更に、凍結用複室容器の形状は上述した内容のほか、他の多角形、円形であっても良い。
【００４４】
また、第３実施形態の重り部３７或いは第４実施形態の重り部３８は、第２実施形態の凍結用複室容器２にも適用される。例えば、気体収納室２３を上方に位置させながら凍結用複室容器２全体を直立させるように、気体収納室２３から最も離れる第１液体収納室２４及び第２液体収納室２５側のシール部１３に重り部３７，３８を取り付けたり、外したりしても良い。
【符号の説明】
【００４５】
１，２，３，４    凍結用複室容器
１０，１３    シール部
１１，１２，１４，１５，１６    隔壁
２０，２３    気体収納室
２１，２４    第１液体収納室
２２，２５    第２液体収納室
３０，３１，３２    充填ポート
３３    排出ポート（排出部）
３４    密閉蓋
３５    情報表示部
３６    袋状部
３７，３８    重り部
３９    留め具
【図１】
2017217195.tif 000003
【図２】
2017217195.tif 000004
【図３】
2017217195.tif 000005
【図４】
2017217195.tif 000006
【図５】
2017217195.tif 000007
【図６】
2017217195.tif 000008
【図７】
2017217195.tif 000009